(57)【要約】【課題】通信ケーブルが絶縁不良に至る前に絶縁抵抗の低下を検知して警告することができるケーブル絶縁監視装置を提供する。【解決手段】２本のパイロット線を有するケーブルの絶縁抵抗を監視するためのケーブル絶縁監視装置において、測定のために接続され各パイロット線へ所定の電圧を印加して電流値を測定する電流測定手段(１１)と、気温と湿度と気圧を検出可能な気象計測手段と、測定された電流値から絶縁抵抗値を算出する抵抗値算出手段(１３)と、算出された絶縁抵抗値および気象計測手段により検出された気温、湿度および気圧を時系列的に記憶する記憶手段(１４)と、抵抗値算出手段により算出された絶縁抵抗値と第１及び第２しきい値とを比較して絶縁抵抗値が第１値又は第２しきい値を超えているときに警報を出力する警報出力手段(１５)と、抵抗値算出手段により算出された絶縁抵抗値を表示可能な表示装置(１６)とを備えるようにした。【選択図】図１
2019056572.tif 000002
【特許請求の範囲】
【請求項１】
第１パイロット線と第２パイロット線を有するケーブルの絶縁抵抗を監視するためのケーブル絶縁監視装置であって、
測定のために接続された前記第１パイロット線又は第２パイロット線へ所定の電圧を印加して電流値を測定する電流測定手段と、
少なくとも気温と湿度と気圧を検出可能な気象計測手段と、
前記電流測定手段により測定された電流値から絶縁抵抗値を算出する抵抗値算出手段と、
前記抵抗値算出手段により算出された絶縁抵抗値および前記気象計測手段により検出された気温、湿度および気圧を時系列的に記憶する記憶手段と、
前記抵抗値算出手段により算出された絶縁抵抗値と第１しきい値および第２しきい値とを比較して、絶縁抵抗値が第１しきい値又は第２しきい値を超えているときに警報を出力する警報出力手段と、
前記抵抗値算出手段により算出された絶縁抵抗値を表示可能な表示装置と、
を備えることを特徴とするケーブル絶縁監視装置。
【請求項２】
前記電流測定手段は、前記第１パイロット線からアースへ流れる第１電流と、前記第２パイロット線からアースへ流れる第２電流と、前記第１パイロット線から前記第２パイロット線へ流れる第３電流と、を測定し、
前記抵抗値算出手段は、前記第１パイロット線とアースとの間の絶縁抵抗と、前記第２パイロット線とアースとの間の絶縁抵抗と、前記第１パイロット線と前記第２パイロット線との間の絶縁抵抗と、を算出し、
前記警報出力手段は、算出された絶縁抵抗のいずれかが前記第１しきい値又は第２しきい値を超えているときに警報を出力することを特徴とする請求項１に記載のケーブル絶縁監視装置。
【請求項３】
前記第１しきい値および／又は前記第２しきい値を外部から設定可能にするための設定手段を備えることを特徴とする請求項１又は２に記載のケーブル絶縁監視装置。
【請求項４】
前記記憶手段には、当該ケーブル絶縁監視装置が設置される地域の過去の気象データが記憶されており、
前記気象計測手段によって検出された気温、湿度および気圧と前記記憶手段内の気象データとを比較して天気を推測する天気推測手段を備え、
前記天気推測手段により推測された天気が前記抵抗値算出手段により算出された絶縁抵抗値と共に前記記憶手段に記憶され、前記表示装置に表示可能に構成されていることを特徴とする請求項１〜３のいずれかに記載のケーブル絶縁監視装置。
【請求項５】
前記表示装置には、前記抵抗値算出手段により算出された絶縁抵抗値および前記天気推測手段により推測された天気を表わすマークが表示されるように構成されていることを特徴とする請求項４に記載のケーブル絶縁監視装置。
【発明の詳細な説明】
【技術分野】
【０００１】
本発明は、通信ケーブルの状態を把握するためのケーブル絶縁監視装置に関し、特に鉄道軌道等に沿って敷設されている通信ケーブルの絶縁状態を把握するケーブル絶縁監視装置に利用して有効な技術に関する。
【背景技術】
【０００２】
鉄道軌道の沿線には、絶縁膜で被覆された複数の芯線が束にされた通信ケーブルが敷設されている。この種の通信ケーブルは、屋外に敷設されているため、断線したり絶縁不良を起こしたりすることがある。そこで、ケーブルのシース（絶縁被膜）内に芯線と並行なパイロット線を設け、このパイロット線にケーブル監視装置を接続して通信ケーブルの状態を監視することが行われている。
【０００３】
従来、ケーブル監視装置としては、ケーブル内に設けた２本のパイロット線の末端同士をオープンな状態とし先端に電圧を印加してそのときに流れる電流を測定し、電流値が所定のしきい値を越えていれば、パイロット線間が絶縁不良を起こしていると判断する方法が知られている。
【０００４】
また、パイロット線とアース（接地端子）との間の抵抗値を測定して、測定された値が所定の抵抗値以下であれば、絶縁不良と判定することも行われている。因みに、パイロット線が絶縁不良と判断された場合、ケーブルの通信用の芯線同士も絶縁不良状態になっているかそのおそれが高いといえることから、パイロット線の状態から通信用の芯線の状態を推測することができる。
また、特許文献１には、パイロット線を利用してケーブルの断線を検出できるようにしたケーブル監視装置に関する発明が開示されている。
【先行技術文献】
【特許文献】
【０００５】
【特許文献１】特開平１１−１０８９７９号公報
【発明の概要】
【発明が解決しようとする課題】
【０００６】
パイロット線の絶縁抵抗値を測定することによって通信ケーブルの絶縁状態を判断する従来の方法にあっては、ケーブルの良／不良は把握できても、不良箇所（位置）を特定することが困難である。そのため、絶縁不良検知からケーブル不良箇所を特定し取り替え作業を完了するに至るまでに時間がかかり、その間にケーブルの絶縁抵抗値がさらに悪化し、最悪の場合は列車運行に影響を与えてしまう可能性があるという課題がある。また、天候などの環境によっては、現地調査日までの間にケーブルの絶縁不良が回復し、絶縁箇所の特定が困難になってしまうことがあった。
【０００７】
図７には、本発明者らが実際に行なったケーブルの絶縁抵抗の測定結果（蓄積データ）に基づいて、抵抗値の変化を、気温および湿度の変化とともにグラフで表わしたものを示す。なお、図７において、Ｔは気温、Ｈは湿度、Ｌ１−Ｅは第１パイロット線とアースとの間の絶縁抵抗の値、Ｌ２−Ｅは第２パイロット線とアースとの間の絶縁抵抗の値、Ｌ１−Ｌ２は第１と第２のパイロット線間の絶縁抵抗の値の変化をそれぞれ示したものである。
【０００８】
図７より、気温が−３．５℃を下回ると、Ｌ１−Ｌ２とＬ２−Ｅで示される絶縁抵抗の値が上昇して一時的に回復している様子が見てとれる。これは、気温が下がるとケーブルの引張度が高くなるため、Ｌ１−Ｌ２間の混触の度合いが小さくなり、一時的に絶縁状態が回復しているためであると推測できる。このように、時間的な絶縁抵抗値の変化を把握することによって様々な判断が可能となることが本発明者らによって見出された。
【０００９】
本発明は上記課題に鑑みなされたものであり、通信ケーブルが絶縁不良に至る前に絶縁抵抗の低下を検知して警告することで、絶縁不良発生前に通信ケーブルの取り替え作業を促すことができ、それによって列車運行に支障を来たすのを回避することができるケーブル絶縁監視装置を提供することを目的とする。
本発明の他の目的は、通信ケーブルの絶縁不良の発生と天候との関係を容易に知ることができ、それによって取り替え作業の優先順位を決定して適切な修繕計画を立てることができるケーブル絶縁監視装置を提供することにある。
【課題を解決するための手段】
【００１０】
上記課題を解決するため、本発明は、
第１パイロット線と第２パイロット線を有するケーブルの絶縁抵抗を監視するためのケーブル絶縁監視装置において、
測定のために接続された前記第１パイロット線又は第２パイロット線へ所定の電圧を印加して電流値を測定する電流測定手段と、
少なくとも気温と湿度と気圧を検出可能な気象計測手段と、
前記電流測定手段により測定された電流値から絶縁抵抗値を算出する抵抗値算出手段と、
前記抵抗値算出手段により算出された絶縁抵抗値および前記気象計測手段により検出された気温、湿度および気圧を時系列的に記憶する記憶手段と、
前記抵抗値算出手段により算出された絶縁抵抗値と第１しきい値および第２しきい値とを比較して、絶縁抵抗値が第１しきい値又は第２しきい値を超えているときに警報を出力する警報出力手段と、
前記抵抗値算出手段により算出された絶縁抵抗値を表示可能な表示装置と、
を備えるように構成したものである。
【００１１】
上記のような構成を有するケーブル絶縁監視装置によれば、抵抗値算出手段により算出された絶縁抵抗値と第１しきい値および第２しきい値を比較して算出絶縁抵抗値が第１しきい値又は第２しきい値を超えていると判断したときに警報を出力する警報出力手段を備えるため、通信ケーブルが絶縁不良に至る前に絶縁抵抗の低下を検知して警告することで、絶縁不良発生前に通信ケーブルの取り替え作業を促すことができ、それによって列車運行に支障を来たすのを回避することができる。
【００１２】
ここで、望ましくは、前記電流測定手段は、前記第１パイロット線からアースへ流れる第１電流と、前記第２パイロット線からアースへ流れる第２電流と、前記第１パイロット線から前記第２パイロット線へ流れる第３電流と、を測定し、
前記抵抗値算出手段は、前記第１パイロット線とアースとの間の絶縁抵抗と、前記第２パイロット線とアースとの間の絶縁抵抗と、前記第１パイロット線と前記第２パイロット線との間の絶縁抵抗と、を算出し、
前記警報出力手段は、算出された絶縁抵抗のいずれかが前記第１しきい値又は第２しきい値を超えているときに警報を出力するように構成する。
【００１３】
かかる構成によれば、第１パイロット線とアースとの間の絶縁抵抗と、第２パイロット線とアースとの間の絶縁抵抗と、第１パイロット線と第２パイロット線との間の絶縁抵抗のいずれかが保守基準抵抗値としての第１しきい値又は障害管理基準値としての第２しきい値を超えているときに警報が出力されるので、絶縁不良の初期段階で警報を出力することができ、それによって絶縁不良発生前に確実に通信ケーブルの取り替え作業を促すことができる。
【００１４】
また、望ましくは、前記第１しきい値および／又は前記第２しきい値を外部から設定可能にするための設定手段を備えるように構成する。
かかる構成によれば、故障（絶縁不良）の判定しきい値の変更が可能であるので、ケーブル絶縁監視装置の設置個所や監視対象（ケーブルの種類等）に応じた適切な条件での測定が可能になる。
【００１５】
また、望ましくは、前記記憶手段には、当該ケーブル絶縁監視装置が設置される地域の過去の気象データが記憶されており、
前記気象計測手段によって検出された気温、湿度および気圧と前記記憶手段内の気象データとを比較して天気を推測する天気推測手段を備え、
前記天気推測手段により推測された天気が前記抵抗値算出手段により算出された絶縁抵抗値と共に前記記憶手段に記憶され、前記表示装置に表示可能に構成する。
かかる構成によれば、通信ケーブルの絶縁不良の発生と天候との関係を容易に知ることができ、それによって取り替え作業の優先順位を決定して適切な修繕計画を立てることができるようになる。
【００１６】
さらに、望ましくは、前記表示装置には、前記抵抗値算出手段により算出された絶縁抵抗値および前記天気推測手段により推測された天気を表わすマークが表示されるように構成する。
かかる構成によれば、表示装置に表示された絶縁抵抗値と天気を表わすマークとから、天候によって通信ケーブルの絶縁抵抗が一時的に回復しているに過ぎないのかそうでないのかを容易に判断することができる。また、算出された絶縁抵抗値および天気マークを時系列的に表示することによって様々な判断が可能となる。
【発明の効果】
【００１７】
本発明に係るケーブル絶縁監視装置によれば、通信ケーブルが絶縁不良に至る前に絶縁抵抗の低下を検知して警告することで、絶縁不良発生前に通信ケーブルの取り替え作業を促すことができ、それによって列車運行に支障を来たすのを回避することができる。また、通信ケーブルの絶縁不良の発生と天候との関係を容易に知ることができ、それによって取り替え作業の優先順位を決定して適切な修繕計画を立てることができるようになるという効果がある。
【図面の簡単な説明】
【００１８】
【図１】本発明に係るケーブル絶縁監視装置の一実施形態を示す概略構成図である。
【図２】本発明に係るケーブル絶縁監視装置によって監視される通信ケーブルの構造を示す横断面図である。
【図３】実施形態のケーブル絶縁監視装置において実行される絶縁抵抗測定処理の手順の一例を示すフローチャートである。
【図４】実施形態のケーブル絶縁監視装置において表示装置に表示される測定条件設定画面の構成例を示す図である。
【図５】同じく表示装置に表示される測定結果（数値）の表示画面の構成例を示す図である。
【図６】同じく表示装置に表示される測定結果（グラフ）の表示画面の構成例を示す図である。
【図７】本発明者らによって実施されたケーブルの絶縁抵抗の測定結果（蓄積データ）に基づいて、抵抗値の変化を、気温および湿度の変化とともに表わしたグラフである。
【発明を実施するための形態】
【００１９】
以下、図面を参照しながら本発明に係るケーブル絶縁監視装置の一実施形態について詳細に説明する。図１は本実施形態のケーブル絶縁監視装置の概略構成図、図２はケーブル絶縁監視装置によって監視される通信ケーブルの構造を示す横断面図である。なお、ケーブル絶縁監視装置は、例えば機器室内に設置され、通信ケーブルは機器室間を結ぶようにして軌道に沿って敷設される。
【００２０】
図１に示すように、ケーブル絶縁監視装置１０は、通信ケーブル２０内のパイロット線Ｌ１，Ｌ２へ所定の電圧（例えば２Ｖ）を印加して電流値を測定するための電流測定回路１１と、パイロット線Ｌ１，Ｌ２と電流測定回路１１とを接続するための接続スイッチ１２ａ，１２ｂと、これらの接続スイッチ１２ａ，１２ｂを選択的にオン、オフ制御したり測定された電流に基づいて抵抗値の演算を行なったりするマイクロプロセッサなどからなる演算制御部１３を備えている。図示しないが、本実施形態のケーブル絶縁監視装置１０は、電流測定回路１１と接続スイッチ１２ａ，１２ｂとからなる測定系を複数チャンネル備え、複数のケーブルの絶縁状態を監視できるように構成されている。
【００２１】
また、ケーブル絶縁監視装置１０は、測定値を記憶する記憶装置１４、光や音で警報を出力する警報装置１５、抵抗値等の測定結果を表示したり測定の条件を設定するための設定画面を表示したりするためのタッチパネル式の液晶デバイスなどからなる表示装置１６を備えている。記憶装置１４には、ケーブル絶縁監視装置１０が設置される地点の過去の気象情報（気温、湿度、気圧、天気）が記憶されている。
本実施形態においては、同一構成を有するケーブル絶縁監視装置１０が通信ケーブル２０の両端にそれぞれ接続され、各ケーブル絶縁監視装置１０において、パイロット線Ｌ１とアース（接地端子）との間の絶縁抵抗と、パイロット線Ｌ２とアースとの間の絶縁抵抗と、パイロット線Ｌ１−Ｌ２間の絶縁抵抗を測定することができるように構成されている。
【００２２】
さらに、本実施形態のケーブル絶縁監視装置１０には、温度センサＴＳと湿度センサＨＳと気圧センサＡＳからの検出信号が入力され、気温、湿度および気圧の３種類の気象測定値を記憶装置１４に蓄積するとともに、演算制御部１３内のマイクロプロセッサは、記憶装置１４内に記憶されている過去の気象情報を参照して、測定された気温、湿度および気圧から天気を推定して天候に関する情報も記憶装置１４に逐次記憶する。また、演算制御部１３内のマイクロプロセッサは、推定した天気に対応した記号やマークを表示装置１６に表示することができるように構成されている。
【００２３】
さらに、本実施形態のケーブル絶縁監視装置１０は、ネットワークアダプターなどの通信手段１７を備えており、インターネット３０を介して気象庁のサーバ４０と接続して、気象庁が提供する気象データをダウンロードすることができるように構成されている。なお、気象庁の気象データの利用の仕方としては、例えば表示装置１６に表示されている気温、湿度および気圧の測定値に誤差や測定値と推測された天気との間にかい離があると感じた場合に、気象データのダウンロードを指令して実行させることが考えられる。
【００２４】
通信ケーブル２０は、図２に示すように、複数の芯線２１、２１、……と、これら芯線２１と並列に設けられた第１及び第２パイロット線Ｌ１、Ｌ２と、芯線２１、２１、……およびパイロット線Ｌ１、Ｌ２の隙間を埋めるように充填された充填材２２と、充填材２２の外周を囲む絶縁被膜２３と、絶縁被膜２３の外側を覆う鋼帯２４と、鋼帯２４の外側のシース２５とを備える。
また、各芯線２１は導線２１ａを絶縁体２１ｂで被覆した構造であり、第１及び第２パイロット線Ｌ１、Ｌ２も同様の構造である。
【００２５】
次に、上記演算制御部１３による絶縁抵抗測定処理の手順の一例について、図３のフローチャートを用いて説明する。なお、この絶縁抵抗測定処理は、演算制御部１３に対して測定開始指令が入力されることで開始され、予め設定された測定間隔（例えば１秒）で繰り返し実行される。
演算制御部１３は、絶縁抵抗測定処理を開始すると、先ず接続スイッチ１２ａをオンさせてパイロット線Ｌ１へ所定の電圧を印加して電流値を測定し、パイロット線Ｌ１とアースとの間の絶縁抵抗の値ＢＲ１を算出する（ステップＳ１）。次に、接続スイッチ１２ｂをオンさせてパイロット線Ｌ２へ所定の電圧を印加して電流値を測定し、パイロット線Ｌ２とアースとの間の絶縁抵抗の値ＢＲ２を算出する（ステップＳ２）。その後、接続スイッチ１２ａ，１２ｂをオンさせてパイロット線Ｌ１−Ｌ２へ所定の電圧を印加して電流値を測定し、電流値に基づいてパイロット線Ｌ１−Ｌ２間の絶縁抵抗の値ＢＲ３を算出する（ステップＳ３）。
【００２６】
続いて、演算制御部１３は、ステップＳ１で算出された絶縁抵抗値ＢＲ１が予め設定された保守基準抵抗値Ｒｔ（第１しきい値）よりも小さいか否か判定する（ステップＳ４）。保守基準抵抗値Ｒｔは、正常なケーブルのパイロット線の絶縁抵抗値よりも小さく本来の絶縁抵抗の障害管理基準値Ｒｍ（第２しきい値）よりも大きな値が選択される。具体的には、障害管理基準値Ｒｍが１ＭΩであり、実測に使用されている測定器（絶縁生涯検出器）のメータのスケールの１目盛りの幅が５μＡであって、その１０分の１の０．５μＡが４ＭΩに相当するような場合、保守基準抵抗値Ｒｔを４ＭΩに設定することが考えられる。なお、装置としては、後述のように、保守基準抵抗値Ｒｔと障害管理基準値Ｒｍの値を任意に設定することができるように構成されている。
【００２７】
ステップＳ４で、絶縁抵抗値ＢＲ１が保守基準抵抗値Ｒｔ（例えば４ＭΩ）よりも大きい（Ｎｏ）と判定すると、ステップＳ５へ進みステップＳ２で算出された絶縁抵抗値ＢＲ２が予め設定された保守基準抵抗値Ｒｔよりも小さいか否か判定する。ステップＳ５で、絶縁抵抗値ＢＲ２が保守基準抵抗値Ｒｔ（例えば４ＭΩ）よりも大きい（Ｎｏ）と判定すると、ステップＳ６へ進みステップＳ３で算出された絶縁抵抗値ＢＲ３が予め設定された保守基準抵抗値Ｒｔよりも小さいか否か判定する。ステップＳ６で、絶縁抵抗値ＢＲ３が保守基準抵抗値Ｒｔ（例えば４ＭΩ）よりも小さい（Ｙｅｓ）と判定すると、ステップＳ１２へ進む。
【００２８】
一方、ステップＳ４で、絶縁抵抗値ＢＲ１が保守基準抵抗値Ｒｔ（例えば４ＭΩ）よりも小さい（Ｙｅｓ）と判定すると、ステップＳ７へ移行して、絶縁抵抗値ＢＲ１が障害管理基準値Ｒｍ（例えば１ＭΩ）よりも小さいか否か判定する。ステップＳ７で、絶縁抵抗値ＢＲ１が障害管理基準値Ｒｍよりも大きい（Ｎｏ）と判定すると、ステップＳ８へ進み軽故障警報を出力する。また、ステップＳ７で、絶縁抵抗値ＢＲ１が障害管理基準値Ｒｍよりも小さい（Ｙｅｓ）と判定すると、ステップＳ９へ進み重故障警報を出力し、ステップＳ５へ移行する。
【００２９】
また、ステップＳ５で、絶縁抵抗値ＢＲ２が保守基準抵抗値Ｒｔ（例えば４ＭΩ）よりも小さい（Ｙｅｓ）と判定したときは、ステップＳ１０へ移行して警報出力処理を実行し、ステップＳ６で、絶縁抵抗値ＢＲ３が保守基準抵抗値Ｒｔ（例えば４ＭΩ）よりも小さい（Ｙｅｓ）と判定したときは、ステップＳ１１へ移行して警報出力処理を実行する。ステップＳ１０およびステップＳ１１の警報出力処理の内容は、それぞれステップＳ７〜Ｓ９の処理と同じであるので、説明は省略する。
【００３０】
ステップＳ１２では、温度センサＴＳと湿度センサＨＳと気圧センサＡＳからの検出信号を読み込み、次のステップで、検出された気温と湿度と気圧とからその時の天気を推測する。具体的には、記憶装置１４内に記憶されている当該ケーブル絶縁監視装置が設置される地域の過去の気象データを参照して最も気温、湿度、気圧が近いときの天気をその時の天気と決定する（ステップＳ１３）。続いて、決定した天気のマークを記憶装置１４から読み出して表示装置１６へ出力し、測定値（絶縁抵抗値と気象データ）と共に表示させる（ステップＳ１４）。その後、測定値（絶縁抵抗値）および検出値（気象データ）とステップＳ１３で決定した天気を表わすマークを記憶装置１４に記憶して（ステップＳ１５）、処理を終了する。
【００３１】
上記のように、パイロット線の絶縁抵抗を測定して蓄積して表示可能にするとともに、２段階の判定しきい値を設けて警報を出力することで、複数の箇所において絶縁抵抗の低下が発生している場合に、履歴データからケーブルの劣化の状態を判断し新しいものへの取替え作業の優先順位を設定して修繕計画を立てることができる。その結果、ケーブルの絶縁抵抗値が急に悪化して取替え前に信号の伝送が行えなくなって列車運行に影響を与えてしまうという事態が発生するのを回避することができる。また、履歴データに天候に関するデータが含まれているため、現地調査日までにケーブル絶縁不良が回復したような場合であっても、履歴データを表示させて確認することで絶縁抵抗値の回復が天候の影響によるものであるのか判断し、現状を把握することが可能になる。
【００３２】
図４には、上記絶縁抵抗測定処理が実行される前に行われる絶縁抵抗測定の条件の設定のための画面の例が示されている。
図４に示すように、絶縁抵抗測定設定画面には、設定の対象となるチャンネルを選択するためのシフトボタンＢ１，Ｂ２と、測定対象項目を指定するためのチェックボックスを有する指定欄ＳＬが設けられており、表示装置１６の画面の指定欄ＳＬにタッチしてチェックボックスにチェックを入れることで、パイロット線Ｌ１とアースとの間Ｌ１−Ｅの絶縁抵抗、パイロット線Ｌ２とアースとの間Ｌ２−Ｅの絶縁抵抗、第１と第２のパイロット線間Ｌ１−Ｌ２の絶縁抵抗の中から１または２以上の任意の測定項目を指定できるようにされている。
【００３３】
また、絶縁抵抗測定設定画面には、警戒（軽故障）の判定しきい値となる保守基準抵抗値Ｒｔを変更するための変更ボタンＢ３、警報（重故障）の判定しきい値となる障害管理基準値Ｒｍを変更するための変更ボタンＢ４と、測定間隔を変更するための変更ボタンＢ５と、決められた時間毎に測定を行う定時測定を指定するためのおよびその時間を変更するための変更ボタンＢ６と、上記設定を確定し更新するための「更新」ボタンＢ７と、元の画面に戻る指令を与えるためのボタンＢ８が設けられている。
上記のように、本実施形態のケーブル絶縁監視装置１０においては、測定項目の指定や故障（絶縁不良）の判定しきい値の変更が可能であり、設置個所や対象（ケーブの種類等）に応じた適切な条件での測定が可能である。
【００３４】
図５および図６には、上記絶縁抵抗測定処理の実行により得られた測定値を表示する画面の例が示されている。このうち、図５は数値による表示画面、図６はグラフによる表示画面の例である。
図５に示すように、数値による表示画面には、測定を実施した日時の表示欄ＤＬ、チャンネルごとに測定されたＬ１−Ｅ間、Ｌ２−Ｅ間およびＬ１−Ｌ２間の絶縁抵抗値を表示する欄ＭＬ、検出された気温、湿度および気圧の値を表示する欄ＷＬが設けられている。また、絶縁抵抗表示欄ＭＬの横には、断線（抵抗値無限大）が検出された場合に点灯されるマーク表示欄ＢＬが設けられている。
【００３５】
さらに、測定値表示画面の下部には、測定条件の設定を行うための設定ボタンＢ１１と、セルフチェックを指令するためのボタンＢ１２、グラフ表示へ移行させるためのボタンＢ１３、絶縁故障を起こしている項目の詳細な内容を表示させるためのボタンＢ１４が設けられている。「設定」ボタンＢ１１にタッチすると、図４の設定画面へ移行して、前述の各種設定が可能になる。また、「グラフ表示」ボタンＢ１３にタッチすると、図６のグラフ表示画面へ移行する。
【００３６】
図６に示すように、グラフによる表示画面には、測定を実施した日時の表示欄ＤＬ、表示するチャンネルを指定するための一対のシフトボタンＢ２１、指定されたチャンネルにおいて測定されたＬ１−Ｅ間、Ｌ２−Ｅ間およびＬ１−Ｌ２間の絶縁抵抗値をグラフで表示する欄ＧＬ、測定値を表示する欄ＭＬ、検出された気温、湿度および気圧の値を表示する欄ＷＬが設けられている。
また、図６の画面の下部には、元の画面に戻る指令を与えるためのボタンＢ２２、グラフ表示の時間軸レンジを変化させるためのシフトボタンＢ２３，Ｂ２４、グラフ表示欄ＧＬ内に表示されている縦方向のヘアカーソルＣを左右（時間軸方向）へ移動させるためのボタンＢ２５，Ｂ２６が設けられている。
【００３７】
なお、日時表示欄ＤＬ、測定値表示欄ＭＬおよび気象データの表示欄ＷＬには、カーソルＣの位置（日時）の値が表示されるようになっている。さらに、画面の上部中央には、気象検出値から推測した晴れや曇り、雨などの天気を表わすマークＷＭが表示されるようになっている。グラフ表示欄ＧＬの時間軸レンジは、例えば１年、１か月、３日、３６時間のように変更することができ、大きな変化を把握するとともに、詳細な変化を確認することができる。
【００３８】
気象（天候）に関するデータとしては、気温、湿度および気圧の他に雨量も考えられるが、本発明者らが行なった測定結果からの知見では、気温、湿度および気圧の検出値があれば、通信ケーブルの絶縁抵抗の回復が天候の影響によるものであるのかそれ以外の理由によるものかをかなり高い蓋然性をもって判断できることが明らかとなった。従って、上記のように気象（天候）に関するデータとして気温、湿度および気圧を検出し、雨量については検出を省略して天気の推測を行うことでシステムの負担を軽くしコストアップを回避することができる。
【００３９】
以上、本発明の実施形態について説明したが、本発明は上記実施形態に限られるものではない。例えば、上記実施形態では、通信ケーブルの絶縁抵抗の管理のために保守基準抵抗値Ｒｔ（第１しきい値）と障害管理基準値Ｒｍ（第２しきい値）の２つのしきい値を設けているが、３段階以上のしきい値を設けて管理するようにしても良い。また、絶縁抵抗値で管理する代わりに、保守基準抵抗値Ｒｔと障害管理基準値Ｒｍに対応する測定電流値をしきい値として、電流測定回路１１により測定された電流値と上記電流しきい値とを比較して通信ケーブルの劣化状態を判断して警報を出力し、修繕作業の計画を促すようにしても良い。
なお、本発明に係るケーブル絶縁監視装置は、鉄道軌道に沿って敷設されている通信ケーブルの絶縁抵抗を監視する装置に限定されず、屋外に敷設されている通信ケーブルの絶縁抵抗を監視するケーブル絶縁監視装置に広く利用することができる。
【符号の説明】
【００４０】
１０  ケーブル絶縁監視装置
１１  電流測定回路
１２ａ，１２ｂ  接続スイッチ
１３  演算制御部
１４  記憶装置
１５  警報装置
１６  表示装置
１７  通信手段
２０  通信ケーブル
２１  芯線
Ｌ１、Ｌ２  パイロット線
【図１】
2019056572.tif 000003
【図２】
2019056572.tif 000004
【図３】
2019056572.tif 000005
【図４】
2019056572.tif 000006
【図５】
2019056572.tif 000007
【図６】
2019056572.tif 000008
【図７】
2019056572.tif 000009